(57)【要約】【課題】引戸扉に取り付けられる手摺りの支持強度を扉に依存しないようにして、手摺りの安定性や信頼性の向上を図る。【解決手段】引戸扉７，７が開いたときの建物の開口部４の有効開口４Ｅと重ならない位置の床面に柱部材１０を起立して設け、この柱部材１０に左右の手摺り１２，１２の戸尻側手摺り部１２ａ，１２ａを回転軸１５を介して回動可能に支持し、手摺り１２，１２の戸先側手摺り部１２ｂ，１２ｂは引戸扉７，７の戸先端部に回動可能に支持し、両手摺り部１２ａ，１２ｂ同士を連結部１４で連結する。手摺り１２，１２は、引戸扉７，７の閉じ状態では床面に沿って直線状に延びる一方、引戸扉７，７の開き動作時には、連結部１４が上方に移動して、開口部４の有効開口４Ｅと重ならないように折れ曲がるものとする。【選択図】図１
2016061104.tif 000002
【特許請求の範囲】
【請求項１】
建物の開口部を開閉する引戸扉と、
上記引戸扉が開いたときの上記開口部の有効開口と重ならない位置の床面に起立して設けられた柱部材と、
上記閉じ状態にある引戸扉の戸尻側に位置する戸尻側手摺り部及び戸先側に位置する戸先側手摺り部を有し、上記戸尻側手摺り部の一端が上記柱部材に回転軸を介して回動可能に支持されている一方、戸先側手摺り部の一端が引戸扉の戸先端部に回転軸を介して回動可能に支持され、戸尻側及び戸先側手摺り部の他端同士が回動可能に連結されていて、該両手摺り部同士の連結部で上方又は下方の一方に折れ曲がり可能な手摺りとを備え、
上記手摺りは、引戸扉の閉じ状態では床面に沿って直線状に延びる一方、引戸扉の開き動作時には、上記連結部が上方又は下方に移動して、開口部の有効開口と重ならないように折れ曲がるものとされていることを特徴とする手摺り付き引戸。
【請求項２】
請求項１において、
閉じ状態にある引戸扉の開き操作により開き操作力が手摺りに加わったときに、該手摺りの連結部を上方又は下方の一方に移動するように案内して手摺りを折り曲げる連結案内構造が設けられていることを特徴とする手摺り付き引戸。
【請求項３】
請求項１において、
手摺りの戸尻側手摺り部と戸先側手摺り部とは接続部材を介して連結され、
引戸扉の閉じ状態で手摺りが直線状態にあるとき、上記接続部材の戸先側手摺り部への連結位置は、戸尻側手摺り部への連結位置よりも上側又は下側の一方にずれていることを特徴とする手摺り付き引戸。
【請求項４】
請求項１〜３のいずれか１つにおいて、
開口部周囲には、床面に沿って直線状に延びる固定手摺りが設けられており、
手摺りは、引戸扉の閉じ状態で直線状に延びたときに、戸先端部から開口部の外側まで延びる延長部を有していて該延長部を介して上記固定手摺りに接続されていることを特徴とする手摺り付き引戸。
【請求項５】
請求項４において、
固定手摺りは、開口部に連通する廊下の壁面又は床面に固定されていることを特徴とする手摺り付き引戸。
【請求項６】
請求項１〜５のいずれか１つの手摺り付き引戸が施工されたことを特徴とする建物。
【発明の詳細な説明】
【技術分野】
【０００１】
本発明は、手摺り付き引戸及びその手摺り付き引戸が施工された建物に関する。
【背景技術】
【０００２】
近年、高齢者人口の増加に伴って在宅介護の形態が増加しており、住宅内における高齢者向けの様々な配慮は今後も増大の一途を辿るものと予測されている。この高齢者向けの配慮として、手摺りを取り付けて歩行を補助し或いは安全性を向上させることが一般に想定され、その１例として、手摺りを引戸の扉に取り付けることが知られている。
【０００３】
例えば特許文献１や特許文献２には、引戸扉の戸先側に手摺りの一端部を水平軸回りに回動可能に支持し、手摺りの他端部に、戸尻側の取付柱や壁等の固定体に取り付けられた上下方向に延びる案内レールに沿って移動するローラを取付支持することで、引戸扉の閉じ状態では、ローラを案内レールの下端部に位置付けて手摺りを水平に保持し、手摺りの使用状態とする一方、引戸扉の開き状態では、ローラを案内レールの上端部に位置付けて手摺りを垂直に保持し、手摺りが引戸の開口の通行の邪魔にならないようにすることが提案されている。
【先行技術文献】
【特許文献】
【０００４】
【特許文献１】特許第４６３９３５８号
【特許文献２】特開２０１３−２５６８０８号公報
【発明の概要】
【発明が解決しようとする課題】
【０００５】
しかし、上記従来のものでは、手摺りの回動端であるローラは案内レールを介して取付柱等に支持されているものの、回動中心となる端部は扉に支持されており、手摺りの支持強度を扉に依存している。そのため、使用者が手摺りに掴まって、その手摺りに荷重が加わったときに、その荷重を主として扉で受けることとなり、手摺りの安定性や信頼性が不十分となる。
【０００６】
本発明は斯かる点に鑑みてなされたもので、その目的は、引戸扉に対する手摺りの取付構造に工夫を加えることにより、その手摺りの支持強度を扉に依存しないようにして、手摺りの安定性や信頼性の向上を図ることにある。
【課題を解決するための手段】
【０００７】
上記の目的を達成するために、この発明では、床面に柱部材を立設して、その柱部材に、中間部で上方又は下方に折れ曲がる構造の手摺りの一端部を回動可能に支持し、手摺りの他端部を扉の戸先側端部に回動可能に支持するようにした。
【０００８】
具体的には、第１の発明に係る手摺り付き引戸は、建物の開口部を開閉する引戸扉と、この引戸扉が開いたときの上記開口部の有効開口と重ならない位置の床面に起立して設けられた柱部材と、上記閉じ状態にある引戸扉の戸尻側に位置する戸尻側手摺り部及び戸先側に位置する戸先側手摺り部を有し、上記戸尻側手摺り部の一端が上記柱部材に回転軸を介して回動可能に支持されている一方、戸先側手摺り部の一端が引戸扉の戸先端部に回転軸を介して回動可能に支持され、戸尻側及び戸先側手摺り部の他端同士が回動可能に連結されていて、該両手摺り部同士の連結部で上方又は下方の一方に折れ曲がり可能な手摺りとを備え、この手摺りは、引戸扉の閉じ状態では床面に沿って直線状に延びる一方、引戸扉の開き動作時には、上記連結部が上方又は下方に移動して、開口部の有効開口と重ならないように折れ曲がるものとされていることを特徴とする。
【０００９】
この第１の発明では、手摺りの戸尻側手摺り部の一端は柱部材に回転軸を介して回動可能に支持され、戸先側手摺り部の一端部は引戸扉の戸先端部に回転軸を介して回動可能に支持され、両手摺り部の他端同士が回動可能に連結されて、手摺りは手摺り部同士の連結部で上方又は下方の一方に折れ曲がり可能となっており、引戸扉が閉じ状態にあるとき、手摺りは、柱部材と引戸扉の戸先端部とに亘って床面に沿って直線状に延びている。この床面に沿って直線状に延びた手摺りに掴まることで、その手摺りが使用される。一方、引戸扉の開き動作時には、柱部材に支持された戸尻側手摺り部と、引戸扉の戸先端部に支持された戸先側手摺り部とがそれぞれ回転軸を中心に回動しながら両手摺り部の連結部が上方又は下方に移動して手摺りが折れ曲がり、このことで手摺りは開口部の有効開口と重ならないようになる。
【００１０】
このように手摺りの回動中心となる端部（戸尻側手摺り部の一端）が床面上の柱部材に支持され、他端（戸先側手摺り部の一端）は引戸扉の戸先端部に支持されているので、引戸扉が閉じ状態にあって手摺りが直線状あるときに、その手摺りに荷重が加わると、その荷重は主として柱部材で受けることができ、手摺りの安定性や信頼性が向上する。
【００１１】
また、引戸扉の開き動作に伴って手摺り中間の連結部が上方又は下方に移動して、手摺りが折り畳まれるので、手摺りの動きの見映えが良くなる。
【００１２】
第２の発明は、第１の発明において、閉じ状態にある引戸扉の開き操作により開き操作力が手摺りに加わったときに、該手摺りの連結部を上方又は下方の一方に移動するように案内して折り曲げる連結案内構造が設けられていることを特徴とする。
【００１３】
この第２の発明では、引戸扉が閉じ状態から開かれて、その開き操作力が手摺りに加わると、連結案内構造により手摺りの連結部が上方又は下方の一方に移動するように案内される。このことで、引戸扉の開き動作に合わせて手摺りをスムーズに折り曲げることができる。
【００１４】
第３の発明は、第１の発明において、手摺りの戸尻側手摺り部と戸先側手摺り部とは接続部材を介して連結され、引戸扉の閉じ状態で手摺りが直線状態にあるとき、上記接続部材の戸先側手摺り部への連結位置は、戸尻側手摺り部への連結位置よりも上側又は下側の一方にずれていることを特徴とする。
【００１５】
この第３の発明では、手摺りの戸尻側手摺り部と戸先側手摺り部とは接続部材を介して連結され、手摺りが直線状態にあるときに接続部材の戸先側手摺り部への連結位置が、戸尻側手摺り部への連結位置よりも上側又は下側の一方にずれているので、引戸扉が閉じ状態から開かれ、この引戸扉の移動により手摺りが押されると、戸先側手摺り部の戸尻端部が戸尻側手摺り部の戸先端部の上側又は下側に向かうように接続部材が回動して、両手摺り部の連結部が上側又は下側の一方に移動し、この動作をきっかけとして手摺りが折れ曲がる。このことで手摺りをスムーズに折り曲げることができる。
【００１６】
第４の発明は、第１〜第３の発明のいずれか１つにおいて、開口部周囲には、床面に沿って直線状に延びる固定手摺りが設けられており、手摺りは、引戸扉の閉じ状態で直線状に延びたときに、戸先端部から開口部の外側まで延びる延長部を有していて該延長部を介して上記固定手摺りに接続されていることを特徴とする。
【００１７】
この第４の発明では、引戸扉の閉じ状態で手摺りが床面に沿って直線状に延びたときに、その開口部の外側まで延びている延長部が開口部周囲の固定手摺りに実質的に接続される。このことで、引戸扉が閉じ状態にあるときに、引戸扉側の手摺りと開口部周囲の固定手摺りとを連続させることができる。尚、手摺りの延長部が開口部の外側まで延びていても、引戸扉が開いたときには、その延長部が上昇するので、開口部の有効開口に大きく重なることはない。
【００１８】
第５の発明は、第４の発明において、固定手摺りは、開口部に連通する廊下の壁面又は床面に固定されていることを特徴とする。
【００１９】
この第５の発明では、引戸扉が閉じ状態にあるときに、引戸扉側の手摺りと開口部周囲で廊下の壁面又は床面の固定手摺りとを連続させることができる。
【００２０】
第６の発明に係る建物は、第１〜第５の発明のいずれか１つの手摺り付き引戸が施工されたことを特徴とする。
【００２１】
この第６の発明では、荷重が加わっても安定性や信頼性が向上した手摺りを有する手摺り付き引戸が施工された建物が得られる。
【発明の効果】
【００２２】
以上説明したように、本発明によると、建物の開口部を開閉する引戸扉が開いたときの開口部の有効開口と重ならない位置の床面に柱部材を設け、この柱部材に、折れ曲がり可能な手摺りの戸尻側手摺り部の一端を回動可能に支持する一方、手摺りの戸先側手摺り部の一端を引戸扉の戸先端部に回動可能に支持し、両手摺り部の他端同士を回動可能に連結し、この手摺りを、引戸扉の閉じ状態では床面に沿って直線状に延びるようにし、引戸扉の開き動作時には、連結部が上方又は下方の一方に移動して開口部の有効開口と重ならないように折れ曲がるものとしたことにより、引戸扉が閉じ状態にあって手摺りが直線状あるときに、その手摺りに加わる荷重を主として柱部材で受けることができ、手摺りの安定性や信頼性の向上を図るとともに、手摺りの動きの見映えの向上を図ることができる。
【図面の簡単な説明】
【００２３】
【図１】図１は、本発明の実施形態１に係る引違い納まりの手摺り付き引戸を廊下側から見た正面図である。
【図２】図２は、手摺り付き引戸の概略平面図である。
【図３】図３は、柱部材に対する手摺りの支持構造を示す斜視図である。
【図４】図４は、手摺りの戸先端部の引戸に対する支持構造を示す一部破断平面図である。
【図５】図５は、手摺りの下方への折れ曲がりを防ぐロック機構を示す正面図である。
【図６】図６は、手摺り付き引戸の引戸扉を開閉したときの手摺りのみの動きを示す正面図である。
【図７】図７は、手摺り付き引戸の左側引戸扉を開閉したときの手摺りの動きを模式的に示す正面図である。
【図８】図８は、手摺り付き引戸の右側引戸扉を開閉したときの手摺りの動きを模式的に示す正面図である。
【図９】図９は、手摺りの連結部の変形例を拡大して示す正面図である。
【図１０】図１０は、実施形態２を示す図１相当図である。
【図１１】図１１は、実施形態２を示す図７相当図である。
【図１２】図１２は、実施形態２を示す図８相当図である。
【図１３】図１３は、実施形態３の要部を示す正面図である。
【図１４】図１４は、実施形態３を示す図７相当図である。
【図１５】図１５は、実施形態４の手摺りを示す図６相当図である。
【図１６】図１６は、実施形態５を示す図１相当図である。
【図１７】図１７は、引戸扉の開き動作の初期に手摺りを遅れて折り曲げるための遅延機構を示す斜視図である。
【図１８】図１８は、片引き納まりの手摺り付き引戸を示す図２相当図である。
【図１９】図１９は、引込み納まりの手摺り付き引戸を示す図２相当図である。
【図２０】図２０は、引分け納まりの手摺り付き引戸を示す図２相当図である。
【図２１】図２１は、アウトセットタイプの片引き納まりの手摺り付き引戸を示す図２相当図である。
【図２２】図２２は、アウトセットタイプの引分け納まりの手摺り付き引戸を示す図２相当図である。
【発明を実施するための形態】
【００２４】
以下、本発明の実施形態を図面に基づいて詳細に説明する。以下の実施形態の説明は、本質的に例示に過ぎず、本発明、その適用物或いはその用途を制限することを意図するものでは全くない。
【００２５】
（実施形態１）
図１及び図２は本発明の実施形態１に係る手摺り付き引戸Ｄを示し、この引戸Ｄは例えば吊り戸タイプの引違い納まり構造とされている。すなわち、引戸Ｄは、建物における例えば廊下Ｃと室Ｒとの間の開口に施工された戸枠１を有し、この戸枠１は、廊下Ｃ側の前側から見て左右に位置する２本の縦枠２，２と、両縦枠２，２の上端部間に横架された上枠３（鴨居）とを備え、この戸枠１の内部に、前側の廊下Ｃと後側の室Ｒとに連通する開口部４が形成されている。
【００２６】
上記上枠３には戸枠１内の開口部４を開閉する左右２枚の引戸扉７，７が吊下げ支持されている。この各引戸扉７は上枠３に対し、図示しないが、上枠３に固定した上吊りレール内で、引戸扉７に固定した吊り戸車を移動させることによって左右方向にスライド移動可能に吊下げられており、引戸Ｄは、各引戸扉７が戸枠１内に配置されたインセットタイプとされている。また、同様に図示しないが、各引戸扉７の下端面には長さ方向に延びるガイド溝が形成され、このガイド溝には、上枠３の左右略中央真下の床面に各引戸扉７に対応して取付固定した床付けガイドピンが摺動可能に係合されており、この床付けガイドピンとガイド溝との係合によって各引戸扉７の下端部が左右方向にスライド移動可能にかつ前後方向に移動不能に支持されている。このような引戸扉７下端部の支持構造によって、後述するように戸先側（戸先側手摺り部１２ｂ）の端部が引戸扉７に支持された手摺り１２に荷重がかかっても引戸扉７が後側にずれずに荷重を受け得るようになっている。
【００２７】
そして、左側引戸扉７は右側引戸扉７よりも例えば後側（室Ｒ側）に配置され、左側引戸扉７を左端に、また右側引戸扉７を右端にそれぞれ移動させたときには、両引戸扉７，７が閉じ状態になって開口部４を閉じ、この両引戸扉７，７の閉じ状態で左側引戸扉７の右端部と右側引戸扉７の左端部とが部分的に前後に重なっている。また、左側引戸扉７のみを右側に移動させて、その大半部を右端にある右側引戸扉７に前後に重ねたときには、左側引戸扉７が開き状態となって開口部４の略左側半部を有効開口４Ｅとして開く一方、逆に右側引戸扉７のみを左側に移動させて、その大半部を左端にある左側引戸扉７に前後に重ねたときには、右側引戸扉７が開き状態となって開口部４の略右側半部を有効開口４Ｅとして開くようになっている。尚、左側及び右側引戸扉７，７を共に開いたときには、開口部４の左右両側部を有効開口４Ｅ，４Ｅとして開くようになっている。
【００２８】
上記左側引戸扉７の右端部と右側引戸扉７の左端部とはいずれも戸尻端部であり、両引戸扉７，７が閉じ状態にあるときに、上述の如く、これらの戸尻端部で部分的に前後に重なっている。この両引戸扉７，７の戸尻端部が部分的に前後に重なる範囲（図１で斜線を記載した部分）は、両引戸扉７，７がそれぞれ開いたときに開口部４に形成される有効開口４Ｅと前側（廊下Ｃ側）から見て重ならない位置となっており、この位置に含まれる廊下Ｃの床面に柱部材１０が起立して傾倒不能に固定されている。
【００２９】
上記柱部材１０は、通常一般の手摺りの高さ位置に相当する高さを有する例えば円柱状のもので、図３に示すように、その上端部には、例えば柱部材１０の前後両側を対称に切り欠くことで板形状の支持部１０ａが形成され、この支持部１０ａには前後方向に貫通する軸孔（図示せず）が形成されている。
【００３０】
上記閉じ状態にある左側引戸扉７の前側（廊下Ｃ側）には該左側引戸扉７に対応する左側手摺り１２が、また同様に閉じ状態にある右側引戸扉７の前側（廊下Ｃ側）には該右側引戸扉７に対応する右側手摺り１２がそれぞれ配置されている。各手摺り１２は、対応する引戸扉７が閉じ状態にあるときにその戸尻側に位置する戸尻側手摺り部１２ａ及び戸先側に位置する戸先側手摺り部１２ｂを有し、左側手摺り１２の戸尻側手摺り部１２ａの右端部と、右側手摺り１２の戸尻側手摺り部１２ａの左端部とはいずれも上記柱部材１０の上端部に回動可能に支持されている。具体的には、図３に示すように、左側手摺り１２の戸尻側手摺り部１２ａの右端部及び右側手摺り１２の戸尻側手摺り部１２ａの左端部にはそれぞれブラケット１３，１３が一体的に取付固定され、例えば左側手摺り１２のブラケット１３には後側を段差状に切り欠くことで切欠き段差部１３ａが、また右側手摺り１２のブラケット１３には前側を段差状に切り欠くことで切欠き段差部１３ａがそれぞれ形成され、各切欠き段差部１３ａには前後方向の軸孔（図示せず）が形成されており、両切欠き段差部１３ａ，１３ａをそれぞれ上記柱部材１０の支持部１０ａに該支持部１０ａを前後から挟むように重ね合わせ、切欠き段差部１３ａ，１３ａの軸孔と柱部材１０の支持部１０ａの軸孔とに前後水平方向の回転軸１５を挿通させることで、各手摺り１２の戸尻側手摺り部１２ａが柱部材１０に回転軸１５を介して鉛直面内で回動可能に支持されている。
【００３１】
また、図４にも示すように、上記左側手摺り１２の戸先側手摺り部１２ｂの左端部と、右側手摺り１２の戸先側手摺り部１２ｂの右端部とにはそれぞれブラケット１８，１８が一体的に取付固定されている（図４では右側手摺り１２の戸先側手摺り部１２ｂのみを例示している）。この各ブラケット１８の後面には軸受部２０が埋め込まれて取り付けられている。また、引戸扉７の前面において、柱部材１０の上端と略同じ高さ位置に支持軸１９が前側に突出するように取付固定され、この支持軸１９の前端部は、上記戸先側手摺り部１２ｂの軸受部２０にベアリング２１を介して回動可能にかつ抜止め状態で連結支持されている。
【００３２】
各手摺り１２において、戸尻側手摺り部１２ａの戸先端部と戸先側手摺り部１２ｂの戸尻端部とは連結部１４で回動可能に連結されている。具体的には、図６に左側手摺り１２の場合を示すように、戸尻側手摺り部１２ａの戸先端部と戸先側手摺り部１２ｂの戸尻端部との間に接続部材１２ｃが介在され、この接続部材１２ｃの両端部は戸尻側手摺り部１２ａの戸先端部と戸先側手摺り部１２ｂの戸尻端部とにそれぞれ前後水平方向の軸心を有するピボット軸１７，１７により連結されており、このことで、手摺り１２は両手摺り部１２ａ，１２ｂ同士の連結部１４にて引戸扉７に沿った鉛直面内で上方に折れ曲がり可能となっている。
【００３３】
そして、上記各引戸扉７の閉じ状態では、該引戸扉７に対応する各手摺り１２の戸尻側手摺り部１２ａと戸先側手摺り部１２ｂとの連結部１４が移動範囲の下端に位置することで、各手摺り１２が床面に沿って水平又は略水平に直線状に延びる水平位置（使用位置）に位置付けられる一方、引戸扉７が閉じ状態から開く開き動作時には、各手摺り１２の戸尻側手摺り部１２ａと戸先側手摺り部１２ｂとの連結部１４が移動範囲の下端から上方に移動することで、手摺り１２が引戸Ｄにおける開口部４の有効開口４Ｅと重ならないように折れ曲がって折り曲げ位置（非使用位置）に位置付けられるようになっている。
【００３４】
さらに、図５に示すように、手摺り１２が、対応する引戸扉７の閉じ状態で床面に沿って直線状に延びる水平位置にあるとき、その手摺り１２に掴まって使用しても手摺り１２が連結部１４で下方に折れ曲がらないようにロック保持するロック機構１６が設けられている。このロック機構１６は、各手摺り１２の連結部１４において例えば戸尻側手摺り部１２ａの戸先端部（戸先側手摺り部１２ｂの戸尻端部であってもよい）の上面部に一体に突設された板状のガード部１６ａを備え、このガード部１６ａは、各手摺り１２の水平位置で戸先側手摺り部１２ｂの戸尻端部（戸尻側手摺り部１２ａの戸先端部であってもよい）の上側に向かって該戸先側手摺り部１２ｂの戸尻端部と上下に重なるように水平に延びており、各手摺り１２が水平位置に位置付けられた状態で連結部１４が下方に折れ曲がろうとしても、ガード部１６ａの先端部が、該ガード部１６ａが重なった下側の戸先側手摺り部１２ｂの戸尻端部に当たることで、手摺り１２の連結部１４が折れ曲がるのを規制するようにしている。尚、図５に仮想線にて示すように、手摺り１２の連結部１４が上方に折れ曲がるときには、ガード部１６ａが戸先側手摺り部１２ｂの戸尻端部から離隔するので、手摺り１２の連結部１４は規制なく折れ曲がるようになる。
【００３５】
また、ロック機構としては、この他、図示しないが、例えば手摺り部１２ａ，１２ｂ又は連結部１４の一方に、ピボット軸１７を中心とする例えば１８０°の角度を有する円弧溝等からなる係合溝を設ける一方、手摺り部１２ａ，１２ｂ又は連結部１４の他方に、係合溝と係合する係合ピンを設け、手摺り１２の折れ曲がり動作に伴って係合ピンが係合溝内を摺動して、手摺り１２が水平位置及び折り曲げ位置に移動したときにそれぞれ係合ピンが係合溝内の両端部に位置付けられるようにしておき、その係合ピンの係合溝内の一方の端部での停止保持によって手摺り１２が水平位置から下方に折れ曲がらないようにする構造を採用することができる。また、その他の構造のロック機構を採用することもできる。
【００３６】
上記各引戸扉７の前面及び後面にはそれぞれ引手（図示せず）が設けられているが、前面に設けられる引手は、移動する手摺り１２と干渉しないように水平位置にある手摺り１２よりも下側に配置されている。
【００３７】
次に、上記実施形態の手摺り付き引戸Ｄの動作について図６〜図８により説明する。尚、図６では、ブラケット１３，１８は省略している。また、図７及び図８では、柱部材１０、手摺り１２等を模式的に示している。
【００３８】
図７（ａ）に示すように、左側及び右側引戸扉７，７がいずれも閉じ状態にあるとき、左側引戸扉７の前側に位置する左側手摺り１２の戸尻側手摺り部１２ａ（右側部）は戸尻端部で柱部材１０の上端部に支持され、戸先側手摺り部１２ｂ（左側部）は戸先端部で左側引戸扉７前面に支持され、これら両手摺り部１２ａ，１２ｂは、連結部１４の接続部材１２ｃによって連結されており、その左側手摺り１２は、図６（ａ）にも示すように、柱部材１０と左側引戸扉７前面（引戸扉７の戸先端部）とに亘って床面に沿って水平又は略水平に直線状に延びる水平位置（使用位置）に位置付けられている。一方、右側引戸扉７の前側に位置する右側手摺り１２においても、その戸尻側手摺り部１２ａ（左側部）が柱部材１０の上端部に支持され、戸先側手摺り部１２ｂ（右側部）が右側引戸扉７前面に支持され、両手摺り部１２ａ，１２ｂは、連結部１４の接続部材１２ｃによって連結されており、その右側手摺り１２は、これら柱部材１０と右側引戸扉７前面（引戸扉７の戸先端部）とに亘って床面に沿って水平又は略水平に直線状に延びる水平位置（使用位置）に位置付けられている（図６（ａ）参照）。すなわち、左側及び右側手摺り１２，１２は両引戸扉７，７の前側の廊下Ｃにおいて、その床面に沿って一直線状に水平に延びた状態にある。この両手摺り１２，１２は、一方又は両方を利用者が掴まることで使用される。
【００３９】
このような状態から、利用者が左側引戸扉７を開いて右側に移動させると、まず、図７（ｂ）に示すように、その開き操作力により左側手摺り１２が右側に押され、その戸尻側手摺り部１２ａが支持されている柱部材１０の上端部からの反力により、図６（ｂ）にも示すように、戸尻側手摺り部１２ａは、柱部材１０に支持された回転軸１５を中心に図で時計回り方向に回動するように、また戸先側手摺り部１２ｂは、引戸扉７に支持された支持軸１９を中心に図で反時計回り方向に回動するようにそれぞれ跳ね上がり、両手摺り部１２ａ，１２ｂの連結部１４が上方に移動して左側手摺り１２が上方に折れ曲がる。
【００４０】
そして、左側引戸扉７が右側端に移動して大半が右側引戸扉７と重なる全開状態になると、図７（ｃ）に示すように、左側手摺り１２の連結部１４が折り曲げ位置（非使用位置）に位置付けられ、左側手摺り１２は、両手摺り部１２ａ，１２ｂが略上下方向に延びるように完全に折り曲げられる（図６（ｃ）参照）。
【００４１】
以上のような左側引戸扉７の開き動作により引戸Ｄの開口部４における有効開口４Ｅが大きくなるが、それに応じて左側手摺り１２も水平位置から折り曲げ位置に移動するので、その手摺り１２が開口部４の有効開口４Ｅと重ならず、左側引戸扉７を開いて有効開口４Ｅを通る利用者の妨げになることは生じない。
【００４２】
左側引戸扉７を開き状態から閉じるときには、その左側引戸扉７の閉じ動作に伴って左側手摺り１２は上記開き動作とは逆に移動して折り曲げ状態から直線状態に変化し、折り曲げ位置から水平位置に戻る。
【００４３】
一方、図８（ａ）（図７（ａ）と同じである）に示すように、両引戸扉７，７の閉じ状態において、利用者が右側引戸扉７を開いて左側に移動させると、まず、図８（ｂ）に示すように、その開き操作力により右側手摺り１２が左側に押され、その戸尻側手摺り部１２ａが支持されている柱部材１０の上端部からの反力により、戸尻側手摺り部１２ａは、柱部材１０に支持された回転軸１５を中心に図で反時計回り方向に回動するように、また戸先側手摺り部１２ｂは、引戸扉７に支持された支持軸１９を中心に図で時計回り方向に回動するようにそれぞれ跳ね上がり、両手摺り部１２ａ，１２ｂの連結部１４が上方に移動して右側手摺り１２が上方に折れ曲がる。
【００４４】
そして、右側引戸扉７が左側端に移動して大半が左側引戸扉７と重なる全開状態になると、図８（ｃ）に示すように、右側手摺り１２の連結部１４が折り曲げ位置（非使用位置）に位置付けられ、右側手摺り１２は、両手摺り部１２ａ，１２ｂが略上下方向に延びるように完全に折り曲げられる。
【００４５】
以上のような右側引戸扉７の開き動作により引戸Ｄの開口部４における有効開口４Ｅが大きくなるが、それに応じて右側手摺り１２が水平位置から折り曲げ位置に移動するので、その手摺り１２が開口部４の有効開口４Ｅと重ならず、有効開口４Ｅを通る利用者の妨げになることは生じない。
【００４６】
右側引戸扉７を開き状態から閉じるときには、その右側引戸扉７の閉じ動作に伴って右側手摺り１２は上記開き動作とは逆に移動して折り曲げ状態から直線状態に変化し、折り曲げ位置から水平位置に戻る。
【００４７】
したがって、この実施形態においては、左右両側の手摺り１２，１２の各々の回動中心となる戸尻側手摺り部１２ａの戸尻端部が廊下Ｃ床面上の柱部材１０に支持され、戸先側手摺り部１２ｂの戸先端部が引戸扉７の戸先端部に回動可能に支持されているので、各引戸扉７が閉じ状態にあって各手摺り１２が直線状にあるときに利用者が各手摺り１２に掴まった際、その手摺り１２に加わる荷重は主として柱部材１０で受けることができる。その結果、同荷重を引戸扉７で受ける場合に比べ、安定して荷重を受けることができ、手摺り１２の安定性や信頼性を向上させることができる。
【００４８】
また、各引戸扉７の開き動作に伴い、対応する各手摺り１２の連結部１４が上方に移動して、その手摺り１２が折れ曲がるので、手摺り１２の動きの見映えが良くなる。
【００４９】
尚、図９に示すように、各引戸扉７が全閉位置にあって各手摺り１２が水平位置にあるとき、その手摺り１２の両手摺り部１２ａ，１２ｂの間に隙間を空けておき、各手摺り１２の連結部１４の接続部材１２ｃにおいて、その戸先側手摺り部１２ｂの戸尻端部へのピボット軸１７による連結位置を、戸尻側手摺り部１２ａの戸先端部へのピボット軸１７による連結位置よりも上側（図９で上側）に距離ｄだけずらすようにしてもよい。こうすれば、水平位置にある手摺り１２が引戸扉７の開き動作によって長さ方向の両端から押されたとき、両手摺り部１２ａ，１２ｂを連結する接続部材１２ｃの連結位置（ピボット軸１７，１７の位置）のずれにより、図９に矢印で示すように、接続部材１２ｃを戸先側手摺り部１２ｂの戸尻端部が戸尻側手摺り部１２ａの戸先端部に対して上側に移動するように図で時計回り方向に回動させることができる。このことで、両手摺り部１２ａ，１２ｂの連結部１４が上側に移動して手摺り１２が連結部１４で折れ曲がるきっかけの動きが生じ、手摺り１２をスムーズに折り曲げることができるようになる。
【００５０】
（実施形態２）
図１０は本発明の実施形態２を示し（尚、以下の各実施形態では、図１〜図９と同じ部分については同じ符号を付してその詳細な説明は省略する）、手摺り付き引戸Ｄの手摺り１２を戸枠１の開口部４周りの固定手摺りに連続させるようにしたものである。
【００５１】
この実施形態では、手摺り付き引戸Ｄの開口部４周囲の左右両側において、開口部４に連通する廊下Ｃの壁面には固定手摺り２５，２５が床面に沿って直線状に延びるように取付固定されている。この左右の固定手摺り２５，２５の高さ位置は、手摺り付き引戸Ｄの左右両側の手摺り１２，１２と同じである。そして、各手摺り１２は、引戸扉７の閉じ状態で直線状に延びて水平位置にあるときに、戸先側手摺り部１２ｂから開口部４の外側まで延びる延長部１２ｄを戸先側手摺り部１２ｂと一体に有しており、その延長部１２ｄを介して上記固定手摺り２５に実質的に接続されている。その他の構成は実施形態１と同じである。
【００５２】
この実施形態において、手摺り付き引戸Ｄの動作を図１１及び図１２示す。この動作は実施形態１の動作と同じであるので、詳細な説明は省略するが、図１１が左側引戸扉７を開閉したときの左側手摺り１２の動きを、また図１２が右側引戸扉７を開閉したときの右側手摺り１２の動きをそれぞれ示している。具体的には、図１１（ａ）が実施形態１の図７（ａ）に、また図１１（ｂ）が実施形態１の図７（ｂ）に、さらに図１１（ｃ）が実施形態１の図７（ｃ）にそれぞれ対応している。また、図１２（ａ）が実施形態１の図８（ａ）に、また図１２（ｂ）が実施形態１の図８（ｂ）に、さらに図１２（ｃ）が実施形態１の図８（ｃ）にそれぞれ対応している。
【００５３】
したがって、この実施形態でも実施形態１と同様の作用効果が得られる。そして、図１０に示すように、左右両側の引戸扉７，７の閉じ状態で両手摺り１２，１２が床面に沿って直線状に延びたときに、その開口部４の外側まで延びている延長部１２ｄ，１２ｄが開口部４周囲の廊下Ｃにおける固定手摺り２５，２５に実質的に接続されるので、各引戸扉７が閉じ状態にあるときに、その引戸扉７側の手摺り１２と開口部４周囲の廊下Ｃの固定手摺り２５とを連続させることができ、途切れのない一連の手摺りによって使い勝手を良くすることができる。
【００５４】
また、手摺り１２の延長部１２ｄが開口部４の外側まで延びていても、引戸扉７が開いたときには、図１１（ｂ）、図１１（ｃ）、図１２（ｂ）及び図１２（ｃ）に示すように、その延長部１２ｄが上昇するので、延長部１２ｄの先端部が部分的に開口部４の有効開口４Ｅに部分的に重なるだけであり、有効開口４Ｅを通る利用者の邪魔になることはない。
【００５５】
尚、固定手摺り２５は廊下Ｃの壁面ではなく、床面に固定支持するようにしてもよい。
【００５６】
（実施形態３）
図１３及び図１４は実施形態３を示し、手摺り１２の接続部材１２ｃと戸先側手摺り部１２ｂの端部とを連結しているピボット軸１７を上側に案内して手摺り１２が折れ曲がるきっかけを生じさせるようにしたものである。
【００５７】
すなわち、この実施形態では、実施形態１と同様に、手摺り１２の戸尻側手摺り部１２ａと戸先側手摺り部１２ｂとの間に接続部材１２ｃが介在され、接続部材１２ｃの両端部はそれぞれ前後水平方向の軸心を有するピボット軸１７，１７により戸尻側手摺り部１２ａと戸先側手摺り部１２ｂとに連結されており、両手摺り部１２ａ，１２ｂ同士は接続部材１２ｃにより互いに揺動可能に連結されている。
【００５８】
また、実施形態１とは異なり、図１３に示すように（図１３は左側手摺り１２を示している）、ピボット軸１７，１７のうち、接続部材１２ｃを戸先側手摺り部１２ｂの戸尻端部に連結するピボット軸１７（図１３で左側のもの）は後方に延長された延長部１７ａを有する。一方、引戸扉７の前面には、上記ピボット軸１７の延長部１７ａに嵌合してそれを案内する案内溝２３を前面に有する案内溝形成部２４が一体的に設けられている。案内溝２３は、前側から見た正面視で戸尻側に向かって上側に向かうように湾曲しながら傾斜し、その溝長さ方向の下端は閉塞されているが、上端はピボット軸１７の延長部１７ａが案内溝２３から出入り可能に開放されている。そして、各引戸扉７が全閉状態にあるときには、図１３（ａ）に示すように、接続部材１２ｃの戸先側手摺り部１２ｂとの連結部分である上記ピボット軸１７の延長部１７ａが案内溝２３の下端に位置しており、この全閉状態から引戸扉７が全開位置に向かって移動するとき、接続部材１２ｃの戸先側手摺り部１２ｂとの間のピボット軸１７の延長部１７ａを案内溝２３により上側に案内して戸先側手摺り部１２ｂを回動させるようにしている。図１３（ｂ）はピボット軸１７の延長部１７ａが案内溝２３の下端部から少し移動して手摺り１２が折れ曲がり始める状態を、また図１３（ｃ）はピボット軸１７の延長部１７ａが案内溝２３の上端部から抜け出て手摺り１２がさらに折れ曲がった状態をそれぞれ示している。その他の構成は実施形態１と同様である。
【００５９】
したがって、この実施形態においても、上記実施形態１と同様の作用効果が得られる。また、手摺り１２の動作について説明すると、対応する引戸扉７が全閉位置にあるときには、図１４（ａ）に示すように、手摺り１２の手摺り部１２ａ，１２ｂ同士を連結している接続部材１２ｃの戸先側手摺り部１２ｂとの連結部分であるピボット軸１７の延長部１７ａが案内溝形成部２４の案内溝２３の下端に位置している。例えば左側引戸扉７が全閉位置から全開位置に向かって開き方向に移動すると、この引戸扉７の移動に伴い、接続部材１２ｃの戸先側手摺り部１２ｂとの連結部分であるピボット軸１７の延長部１７ａが案内溝形成部２４の案内溝２３内を移動する。この案内溝２３は正面視で戸尻側に向かって上側に向かうように傾斜しているので、この案内溝２３による案内によりピボット軸１７が上側に押され、このピボット軸１７に連結されている戸先側手摺り部１２ｂがピボット軸１７側の戸尻端部を上側に向かうように回動し、この動作をきっかけとして両手摺り部１２ａ，１２ｂの連結部１４が上側に移動する。そして、ピボット軸１７の延長部１７ａが案内溝２３の上端部から抜け出た後は、図１４（ｂ）に示すように、戸先側手摺り部１２ｂが図で反時計回り方向に回動して手摺り１２が上側に折れ曲がり、図１４（ｃ）に示すように、引戸扉７の全開状態で手摺り１２が完全に折れ曲がる。このことで、図９に示す構造と同様に手摺り１２をスムーズに折り曲げることができる。
【００６０】
また、引戸扉７を全閉位置に向けて閉じたときには、手摺り１２は上記開き動作と逆の動作が行われる。
【００６１】
（実施形態４）
図１５は実施形態４を示し、手摺り１２の連結部１４の構造を変えたものである。
【００６２】
すなわち、この実施形態では、各手摺り１２の戸尻側手摺り部１２ａと戸先側手摺り部１２ｂとは、上記各実施形態のように接続部材１２ｃを介して連結されておらず、ヒンジ部材２７によって直接に連結されている。このヒンジ部材２７は、丁番と同様の構造であり、戸尻側手摺り部１２ａの戸先端部の下面及び戸先側手摺り部１２ｂの戸尻端部の下面にそれぞれ取付固定された１対の取付部２７ａ，２７ａを備え、両取付部２７ａ，２７ａ同士は水平前後方向の軸部２７ｂによって揺動可能に連結されている。
【００６３】
そして、対応する引戸扉７の閉じ状態では、図１５（ａ）に示すように、戸尻側手摺り部１２ａ及び戸先側手摺り部１２ｂが各々のヒンジ部材２７側の端部を突き合わせた状態で直線状態に並んで、手摺り１２が廊下Ｃの床面に沿って直線状に延びるようになっている。この両手摺り部１２ａ，１２ｂの端部が突き合わされることで、手摺り１２に掴まって使用しても手摺り１２が連結部１４で下方に折れ曲がらないようにすることができる。
【００６４】
また、引戸扉７が開くと、図１５（ｂ）及び図１５（ｃ）に示すように、戸尻側手摺り部１２ａ及び戸先側手摺り部１２ｂの各々のヒンジ部材２７側の端部、つまり手摺り１２の連結部１４が上方に移動するようになっている。
【００６５】
尚、この実施形態では、実施形態１に示すロック機構１６は設けられておらず、手摺り１２の水平位置で戸尻側手摺り部１２ａ及び戸先側手摺り部１２ｂの端部同士が突き合わされることで、手摺り１２の連結部１４が下側に折れ曲がるのを規制するようにしている。その他の構成は実施形態１と同様である。従って、この実施形態でも実施形態１と同様の作用効果を奏することができる。
【００６６】
（実施形態５）
図１６は実施形態５を示し、引戸扉７において手摺り１２よりも戸先側に固定手摺りを取り付けたものである。
【００６７】
すなわち、この実施形態では、引戸扉７前面の戸先端部において戸先側手摺り部１２ｂよりも戸先側に固定手摺り２８が、水平位置（使用位置）にあるときの手摺り１２の戸先側手摺り部１２ｂと同じ直線状に位置するように取付固定され、この固定手摺り２８の一端部は戸先側手摺り部１２ｂの支持軸１９に回動不能に固定され、他端部は引戸扉７の前面に支持軸１９と平行な支持軸２９を介して固定されている。この固定手摺り２８の一端部の支持軸１９に対する支持構造は、上記した柱部材１０と戸尻側手摺り部１２ａとの支持構造と同様であり、切欠き段差部を形成することで、固定手摺り２８と戸先側手摺り部１２ｂとが同じ直線状に位置するように支持される。その他の構成は実施形態１と同様である。従って、この実施形態でも実施形態１と同様の作用効果を奏することができる。
【００６８】
（その他の実施形態）
引戸扉７が閉じ状態にあって手摺り１２が水平位置（使用位置）にあるとき、その手摺り１２に利用者が掴まって下向きの荷重が加わると、それに伴ってその手摺り１２が水平位置にロック保持されて引戸扉７も開かないようにする機構を設けることもできる。
【００６９】
このようにすれば、手摺り１２に利用者が掴まってその手摺り１２を使用している状態では、引戸扉７は閉じ状態にロックされるので、その引戸扉７が、特に手摺り１２のない室Ｒ側から不用意に開かれるのを防止することができる。
【００７０】
上記実施形態のように、各手摺り１２の戸尻側手摺り部１２ａをブラケット１３に固定するのではなく、図１７に示すように、手摺り１２の戸尻側手摺り部１２ａに他の部分よりも小径のスライド部１２ｅを形成する一方、ブラケット１３に有底の穴部１３ｂを形成して、その穴部１３ｂに手摺り１２のスライド部１２ｅをスライド移動可能に嵌挿するようにすることもできる。こうすれば、引戸扉７が開き操作されて手摺り１２が戸先側に向かう方向に押されたとき、その初期に一旦スライド部１２ｅがブラケット１３の穴部１３ｂ内に入り込んだ後に手摺り１２の連結部１４が上昇するようになるので、引戸扉７の開き動作に対して手摺り１２の折れ曲がりが遅れて始まるようになり、手摺り１２を遅れて折り曲げる遅延機構が得られ、手摺り１２の動きに特徴が生じる。
【００７１】
上記実施形態は、吊り戸タイプの引違い納まり構造の引戸Ｄの例であるが、他のタイプや納まり構造の引戸にも本発明の適用が可能であり、上記各実施形態と同様の作用効果を奏することができる。それらの引戸に適用した場合を図１８〜図２２に示す。
【００７２】
図１８は片引き納まりの手摺り付き引戸Ｄを示す。この引戸Ｄでは、戸枠１の左右の縦枠２，２間の後側に方立３０が立設されている。この方立３０と一方の縦枠である例えば右縦枠２との間に開口部４が形成され、方立３０と他方の縦枠である左縦枠２との間の後側に壁材３１が貼り渡され、この壁材３１の前側に開き状態の１枚の引戸扉７が納まるようになっており、引戸Ｄは例えば右開きとなっている。方立３０前側の廊下Ｃに柱部材１０が立設され、この柱部材１０の上端部に手摺り１２の戸尻側手摺り部１２ａが回動可能に支持され、戸先側手摺り部１２ｂ（右側部）は引戸扉７の戸先端部に回動可能に支持され、両手摺り部１２ａ，１２ｂは連結部１４において折れ曲がり可能に連結されている。柱部材１０と左縦枠２外側（左隣り）の柱との間の前側には固定手摺り２５が架け渡され、この固定手摺り２５は水平位置（使用位置）にあるときに手摺り１２と直線状に連続するようになっている。尚、縦枠２の固定具（ビス等）についての保持力が強い場合には、該縦枠２と柱部材１０との間に固定手摺り２５を架け渡してもよい。
【００７３】
図１９は引込み納まりの手摺り付き引戸Ｄを示し、戸枠１の左右の縦枠２，２間に前後１対の方立３０，３０が立設されている。方立３０，３０と一方の縦枠である例えば右縦枠２との間に開口部４が形成され、方立３０，３０と他方の縦枠である左縦枠２との間の前後両側にそれぞれ壁材３１，３１が貼り渡され、この壁材３１，３１間の戸袋に開き状態の１枚の引戸扉７が納まるようになっており、引戸Ｄは例えば右開きとなっている。方立３０前側の廊下Ｃに柱部材１０が立設され、この柱部材１０の上端部に手摺り１２の戸尻側手摺り部１２ａが回動可能に支持され、手摺り１２の戸先側手摺り部１２ｂ（右側部）は引戸扉７の戸先端部に回動可能に支持され、両手摺り部１２ａ，１２ｂは連結部１４において折れ曲がり可能に連結されている。尚、柱部材１０は方立３０の前側ではなく、前側方立３０の右側（開口部４内）の廊下Ｃに立設することもできる。
【００７４】
図２０は引分け納まりの手摺り付き引戸Ｄを示し、上記図１８に示す片引き納まりの手摺り付き引戸Ｄにおいて、引戸扉７の戸先側を対称面に面対称に展開したものである。すなわち、戸枠１内に左右２枚の引戸扉７，７が配置され、左右２本の柱部材１０，１０がそれぞれ左右の方立３０，３０前側の廊下Ｃに立設され、これら左右の柱部材１０，１０にそれぞれ左右の手摺り１２，１２の戸尻側手摺り部１２ａ，１２ａが回動可能に支持され、両手摺り１２，１２の戸先側手摺り部１２ｂ，１２ｂはそれぞれ左右の引戸扉７，７の戸先端部に回動可能に支持され、両手摺り部１２ａ，１２ｂは連結部１４にて折れ曲がり可能に連結されている。
【００７５】
図２１は、アウトセットタイプの片引き納まりの手摺り付き引戸Ｄを示す。この引戸Ｄは、図１８に示す構造のように引戸扉７が戸枠１内に配置されたインセットタイプではなく、引戸扉７が戸枠１外で前側（廊下Ｃ側）に配置されたアウトセットタイプとされ、この引戸扉７は、上枠３前側に配設した上吊りレール（図示せず）に吊り下げられて左右方向に移動し、戸枠１内の開口部４をその前側位置で開閉するようになっており、引戸Ｄは例えば右開きとなっている。この引戸扉７の戸尻側に位置する例えば左側縦枠２前側の廊下Ｃの床面に柱部材１０が立設され、この柱部材１０の上端部に手摺り１２の戸尻側手摺り部１２ａが回動可能に支持され、手摺り１２の戸先側手摺り部１２ｂ（右側部）は引戸扉７の戸先端部に回動可能に支持され、両手摺り部１２ａ，１２ｂは連結部１４にて折れ曲がり可能に連結されている。尚、この引戸扉７の下端部も、その下面のガイド溝と廊下Ｃ床面上の床付けガイドピンとの係合によって支持されている。
【００７６】
図２２はアウトセットタイプの引分け納まりの手摺り付き引戸Ｄを示し、上記図２１に示す片引き納まりの手摺り付き引戸Ｄにおいて、引戸扉７の戸先側を対称面に面対称に展開したものである。すなわち、戸枠１外の前側に左右２枚の引戸扉７，７が配置され、左右２本の柱部材１０，１０がそれぞれ左右の縦枠２，２前側の廊下Ｃに立設され、これら左右の柱部材１０，１０にそれぞれ左右の手摺り１２，１２の戸尻側手摺り部１２ａ，１２ａが回動可能に支持され、両手摺り１２，１２の戸先側手摺り部１２ｂ，１２ｂはそれぞれ左右の引戸扉７，７の戸先端部に回動可能に支持され、両手摺り部１２ａ，１２ｂは連結部１４において折れ曲がり可能に連結されている。また、図１８に示す引戸Ｄと同様に、柱部材１０に固定手摺り２５が支持されている。
【００７７】
また、上記各実施形態では、手摺り１２は連結部１４を上方に移動させて折れ曲がるようにしているが、連結部１４を下方に移動させて折れ曲がるようにすることもできる。その場合、引戸扉７の引手は、移動する手摺り１２と干渉しないように該手摺り１２よりも上側に設ける必要がある。
【産業上の利用可能性】
【００７８】
本発明は、引戸扉に取り付けられる手摺りが引戸扉の閉じ状態で直線状あるときに、その手摺りに加わる荷重を主として柱部材で受けて、手摺りの安定性や信頼性の向上を図ることができるので、極めて有用である。
【符号の説明】
【００７９】
Ｄ  手摺り付き引戸
Ｃ  廊下
Ｒ  室
１  戸枠
４  開口部
４Ｅ  有効開口
７  引戸扉
１０  柱部材
１２  手摺り
１２ａ  戸尻側手摺り部
１２ｂ  戸先側手摺り部
１２ｃ  接続部材
１２ｄ  延長部
１４  連結部
１６  ロック機構
２０  軸受部
２５  固定手摺り
２７  ヒンジ部材
【図１】
2016061104.tif 000003
【図２】
2016061104.tif 000004
【図３】
2016061104.tif 000005
【図４】
2016061104.tif 000006
【図５】
2016061104.tif 000007
【図６】
2016061104.tif 000008
【図７】
2016061104.tif 000009
【図８】
2016061104.tif 000010
【図９】
2016061104.tif 000011
【図１０】
2016061104.tif 000012
【図１１】
2016061104.tif 000013
【図１２】
2016061104.tif 000014
【図１３】
2016061104.tif 000015
【図１４】
2016061104.tif 000016
【図１５】
2016061104.tif 000017
【図１６】
2016061104.tif 000018
【図１７】
2016061104.tif 000019
【図１８】
2016061104.tif 000020
【図１９】
2016061104.tif 000021
【図２０】
2016061104.tif 000022
【図２１】
2016061104.tif 000023
【図２２】
2016061104.tif 000024